(57)【特許請求の範囲】
【請求項１】
上下動する針棒と、針および回転阻止用のピンが一体的に形成され前記針棒に介挿され係止される針株を備えたミシンにおいて、
前記針棒に配設され、前記針株の回転阻止用のピンを係止する係止部が形成され前記針棒が上下動するとき前記回転阻止用のピンを介して前記針株を係止する係止部材を備えている
ことを特徴とするミシンの針株保持装置。
【請求項２】
請求項１において、
前記係止部材が、前記針棒に揺動可能に配設され、前記針株の回転阻止用のピンを係止する係止穴が形成され前記針棒が上下動するとき前記回転阻止用のピンを介して前記針株を係止する揺動部材を備えた
ことを特徴とするミシンの針株保持装置。
【請求項３】
請求項２において、
前記揺動部材が、バネ部材を備え、前記針株の回転阻止用の前記ピンが前記係止穴内に介挿され係止される方向に付勢されるように構成されていることを特徴とするミシンの針株保持装置。
【請求項４】
請求項２において、
前記揺動部材が、バネ部材より成り、前記針株の回転阻止用の前記ピンが前記係止穴内に介挿され係止される方向に付勢されるように構成されていることを特徴とするミシンの針株保持装置。
【請求項５】
請求項１において、
前記回転阻止用のピンと前記係止部との係止関係を解除する解除部材を備えている
ことを特徴とするミシンの針株保持装置。
【請求項６】
請求項５において、
前記解除部材が、前記針株を把持する溝が形成された針保持台に配設され、針株の交換時において前記係止部材と針株との間に介挿される突出部材によって構成されている
ことを特徴とするミシンの針株保持装置。
【請求項７】
請求項５において、
前記突出部材が、前記回転阻止用のピンと前記係止部との係止関係を解除する先端先細形状のピンによって構成されている
ことを特徴とするミシンの針株保持装置。
【発明の詳細な説明】
【０００１】
【発明の属する技術分野】
本発明は、上下動する針棒と、針および回転阻止用のピンが一体的に形成され前記針棒に介挿され係止される針株を備えたミシンにおいて、前記針棒に配設され、前記針株の回転阻止用のピンを係止する係止部が形成された前記係止部材が、前記針棒が上下動するとき前記回転阻止用のピンを介して前記針株を係止することにより、前記針株の前記針棒からの脱落を阻止するミシンの針株保持装置に関する。
【０００２】
【従来の技術】
従来のミシンの針株保持装置は、図１３に示すように上下動する針棒Ｂと、針および回転阻止用のピンが一体的に形成され前記針棒Ｂに介挿され係止される針株Ｋを備えたミシンにおいて、前記針棒Ｂ内に馬蹄形の板ばねＩによって挾着された２個の係合ピンＫＰが介挿され、前記針株Ｋの先端のくびれ部Ｗを前記係合ピンＫＰの間に介挿して、前記馬蹄形の板ばねＩの付勢力によって係止されるものであった。
【０００３】
【発明が解決しようとする課題】
上記従来のミシンの針株保持装置は、前記針株Ｋの先端のくびれ部Ｗを前記係合ピンＫＰの間に介挿して、前記馬蹄形の板ばねＩの付勢力によって係止されるものであるので、布地に針が刺された後該布地から針が引き抜かれる時に前記針株Ｋを下方に引き下げる方向の力が、前記馬蹄形の板ばねＩの付勢力より大きくなると、縫製中に前記針株Ｋが前記針棒Ｂから抜けてしまうという問題があった。
【０００４】
前記縫製中における前記針株Ｋの前記針棒Ｂから抜けを防止するために、前記馬蹄形の板ばねＩの付勢力を大きくすると、該針株Ｋの交換時における針株Ｋの着脱に要する力が大きくなり、作業性が低下するという問題があった。
【０００５】
そこで本発明者は、針棒内に介挿された馬蹄形の板ばねによって挾着された鋼球とは別に、針棒に配設され、前記針株の回転阻止用のピンを係止する係止部が形成された前記係止部材が、前記針棒が上下動するとき前記回転阻止用のピンを介して前記針株を係止するという本発明の技術的思想に着眼し、更に研究開発を重ねて、前記針株の前記針棒からの脱落を阻止するという目的を達成する本発明に到達した。
【０００６】
【課題を解決するための手段】
本発明（請求項１に記載の第１発明）のミシンの針株保持装置は、
上下動する針棒と、針および回転阻止用のピンが一体的に形成され前記針棒に介挿され係止される針株を備えたミシンにおいて、
前記針棒に配設され、前記針株の回転阻止用のピンを係止する係止部が形成され前記針棒が上下動するとき前記回転阻止用のピンを介して前記針株を係止する係止部材を備えている
ものである。
【０００７】
本発明（請求項２に記載の第２発明）のミシンの針株保持装置は、
第１発明において、
前記係止部材が、前記針棒に揺動可能に配設され、前記針株の回転阻止用のピンを係止する係止穴が形成され前記針棒が上下動するとき前記回転阻止用のピンを介して前記針株を係止する揺動部材を備えた
ものである。
【０００８】
本発明（請求項３に記載の第３発明）のミシンの針株保持装置は、
第２発明において、
前記揺動部材が、バネ部材を備え、前記針株の回転阻止用の前記ピンが前記係止穴内に介挿され係止される方向に付勢されるように構成されている
ものである。
【０００９】
本発明（請求項４に記載の第４発明）のミシンの針株保持装置は、
第２発明において、
前記揺動部材が、バネ部材より成り、前記針株の回転阻止用の前記ピンが前記係止穴内に介挿され係止される方向に付勢されるように構成されている
ものである。
【００１０】
本発明（請求項５に記載の第５発明）のミシンの針株保持装置は、
第１発明において、
前記回転阻止用のピンと前記係止部との係止関係を解除する解除部材を備えている
ものである。
【００１１】
本発明（請求項６に記載の第６発明）のミシンの針株保持装置は、
第５発明において、
前記解除部材が、前記針株を把持する溝が形成された針保持台に配設され、針株の交換時において前記係止部材と針株との間に介挿される突出部材によって構成されている
ものである。
【００１２】
本発明（請求項７に記載の第７発明）のミシンの針株保持装置は、
第５発明において、
前記突出部材が、前記回転阻止用のピンと前記係止部との係止関係を解除する先端先細形状のピンによって構成されている
ものである。
【００１３】
（作用）
上記構成より成る第１発明のミシンの針株保持装置は、上下動する針棒と、針および回転阻止用のピンが一体的に形成され前記針棒に介挿され係止される針株を備えたミシンにおいて、前記針株の回転阻止用のピンを係止する係止部が形成され前記針棒に配設された前記係止部材が、前記針棒が上下動するとき前記回転阻止用のピンを介して前記針株を係止するものである。
【００１４】
上記構成より成る第２発明のミシンの針株保持装置は、第１発明において、
前記係止部材を構成する前記針棒に揺動可能に配設され前記針株の回転阻止用のピンを係止する係止穴が形成された前記揺動部材が、前記針棒が上下動するとき前記回転阻止用のピンを介して前記針株を係止するものである。
【００１５】
上記構成より成る第３発明のミシンの針株保持装置は、第２発明において、前記揺動部材が、前記バネ部材を備えているので、前記針株の回転阻止用の前記ピンが前記係止穴内に介挿され係止される方向に付勢されるものである。
【００１６】
上記構成より成る第４発明のミシンの針株保持装置は、第２発明において、前記揺動部材が、前記バネ部材より成るので、前記針株の回転阻止用の前記ピンが前記係止穴内に介挿され係止される方向に付勢されるものである。
【００１７】
上記構成より成る第５発明のミシンの針株保持装置は、第１発明において、前記解除部材が、前記回転阻止用のピンと前記係止部との係止関係を解除するものである。
【００１８】
上記構成より成る第６発明のミシンの針株保持装置は、第５発明において、前記解除部材を構成する前記針株を把持する溝が形成された針保持台に配設された前記突出部材が、針株の交換時において前記係止部材と針株との間に介挿され、係止関係が解除されるものである。
【００１９】
上記構成より成る第７発明のミシンの針株保持装置は、第５発明において、前記突出部材を構成する先端先細形状の前記ピンが、前記回転阻止用のピンと前記係止部との係止関係を解除するものである。
【００２０】
【発明の効果】
上記作用を奏する第１発明のミシンの針株保持装置は、前記係止部材が、前記針棒が上下動するとき前記係止部によって前記回転阻止用のピンを係止して前記針株を係止するので、前記針株の前記針棒からの脱落を阻止するという効果を奏する。
【００２１】
上記作用を奏する第２発明のミシンの針株保持装置は、第１発明の効果に加え、前記揺動部材が、その前記係止穴によって前記針株の回転阻止用のピンを係止して前記針株を係止するので、前記針株の前記針棒からの脱落を確実に阻止するという効果を奏する。
【００２２】
上記作用を奏する第３発明のミシンの針株保持装置は、第２発明の効果に加え、前記揺動部材に配設された前記バネ部材が、前記針株の回転阻止用の前記ピンが前記係止穴内に介挿され係止される方向に付勢するので、前記針株の前記針棒からの脱落を一層確実に阻止するという効果を奏する。
【００２３】
上記作用を奏する第４発明のミシンの針株保持装置は、第２発明の効果に加え、前記揺動部材が前記バネ部材によって構成されているので、前記針株の回転阻止用の前記ピンが前記係止穴内に介挿され係止される方向に付勢されるので、前記針株の前記針棒からの脱落を一層確実に阻止するという効果を奏する。
【００２４】
上記作用を奏する第５発明のミシンの針株保持装置は、第１発明の効果に加え、前記解除部材が、前記回転阻止用のピンと前記係止部との係止関係を解除するので、前記針株の交換時における針株の着脱を容易にするという効果を奏する。
【００２５】
上記作用を奏する第６発明のミシンの針株保持装置は、第５発明の効果に加え、前記解除部材を構成する前記針株を把持する溝が形成された針保持台に配設された前記突出部材が、針株の交換時において前記針株が該針株を把持する前記溝内に介挿されると、前記係止部材と針株との間に介挿され、係止関係が解除されるので、前記針株の交換時における針株の動きに応じた着脱を可能にするという効果を奏する。
【００２６】
上記作用を奏する第７発明のミシンの針株保持装置は、第５発明の効果に加え、前記突出部材を構成する先端先細形状の前記ピンが、前記回転阻止用のピンと前記係止部との係止関係を解除するので、簡単な構成により、前記針株の交換時における針株の動きに応じた着脱を可能にするという効果を奏する。
【００２７】
【発明の実施の形態】
以下本発明の実施の形態につき、図面を用いて説明する。
【００２８】
（第１実施形態）
第１実施形態のミシンの針株保持装置は、図１ないし図６に示すように上下動する針棒１と、針２１および回転阻止用のピン２２が一体的に形成され前記針棒１に介挿され係止される針株２を備えたミシンにおいて、前記針棒１に揺動可能に配設され、前記針株２の回転阻止用のピン２２を係止する係止穴３１が形成され前記針棒が上下動するとき前記回転阻止用のピンを介して前記針株を係止する係止部材としての揺動部材３と、前記回転阻止用のピン２２と前記係止穴３１との係止関係を解除する解除部材４を備えているものである。
【００２９】
前記針棒１は、図１ないし図５に示されるように円筒体１０より成り、下部の小径部１１に２個の鋼球１２が介挿され、該鋼球１２を挾着する馬蹄形の板ばね１３が配設され（図３参照）、該小径部１１の下部の円筒状の凹部１４が形成された下端部１５には前記針株２の回転阻止用のピン２２を介挿するスリット１６が形成されている。
【００３０】
前記針株２は、図１ないし図１０に示されるように小径上端部２３に前記２個の鋼球１２の間に介挿されるくびれ部２４が形成されるとともに下端に回転阻止用のピン２２が圧入固定によって突設され、該小径上端部２３の下部に円錐状部２５が配設され、該円錐状部２５の下部に針株を把持する後述する針保持台５の溝に把持される平行把持部２６１が形成された大径部２６が配設され、該大径部２６の下部に糸通し孔２１１が形成された先細先端部２１２を備えた針２１が同軸的に配設されている。
【００３１】
前記揺動部材３は、図１ないし図１０に示されるように前記針棒１の前記小径部１１の上部の側壁を穿設して形成された平行部１７に貫通突設された揺動支点としてのピン部１８に係合する支持部３２と、前記針棒１の外周壁に沿って上下方向に延在する本体部３０と、該本体部３０の上部に一体的に形成され先端が前記針棒１の外周壁に当接して前記本体部３０を時計方向に揺動させる付勢力を付与するＵ字状の形状のばね部３３と、前記本体部３０の下部に形成され回転阻止用のピン２２が挿入される円形の係止穴３１と、前記本体部３０の該係止穴３１の上部に横方向に突設され斜めに配設され針保持台５の横方向移動時における揺動を実現するた突設部３４と、前記本体部３０の下端に下方に突設され斜めに配設され針株２の下降運動時における揺動を実現する下端突設部３５とから成る。
【００３２】
前記解除部材４は、図１ないし図１０に示されるように前記針株２を把持する溝５１が形成された針保持台５に配設され、針株の交換時において前記係止部材と針株との間に介挿される突出部材としての前記回転阻止用のピンと前記係止穴３１との係止関係を解除する先端先細形状のピン４１によって構成されているものである。
【００３３】
前記ピン４１は、前記針保持台５に植設された支持部材４２によって中央が支持され、前記針保持台５の両側より穿設して形成された前記針株１を把持する溝５１の長手軸に平行に配設され、前記針株２が前記溝５１内に進入すると前記揺動部材３の前記突設部３４と前記針棒１の外周壁との間に介挿され、前記回転阻止用のピン２２と前記係止穴３１との係止関係を解除するように構成されている。
【００３４】
上記構成より成る第１実施形態のミシンの針株保持装置の作用について図７ないし図１０を用いて以下に述べる。
前記針保持台５の前記溝５１に挿入把持されている前記針株２に、図８に示されるように前記揺動部材３が揺動可能に配設された前記針棒１が下がる。
【００３５】
前記針株２が前記針棒１内に完全に挿入される前に、前記揺動部材３の前記下端突設部３５が前記針保持台５に配設された前記ピン４１に接触して、該揺動部材３が半時計方向に揺動される。
【００３６】
図９に示されるように前記針株２が、前記針棒１内完全に挿入されると、前記針棒１内に介挿された対向する鋼球１２内に前記針棒２の前記上端部２３の前記くびれ部２４が挿入され、前記馬蹄形の板ばね１３のバネ力により前記針株２が係止される。前記針棒１に揺動可能に配設された前記揺動部材３は、前記針保持台５に配設された前記ピン４１によって前記針株２に圧入固定された前記ピン２２に接触しない位置まで半時計方向に揺動される。
【００３７】
前記針株２が前記針棒１内完全に挿入され、前記針株２が前記針棒１の前記鋼球１２および前記馬蹄形の板ばね１３によって係止された状態において、前記針保持台５が前記ピンの軸方向に移動して、前記針株２が前記針保持台５の溝５１から開放されると、前記針棒１の前記揺動部材３も前記ピン４１との接触関係が開放される。
【００３８】
前記揺動部材３も前記ピン４１との接触関係が開放されると、前記揺動部材３の前記本体部３０の上部に一体的に形成され先端が前記針棒１の外周壁に当接したＵ字状の形状の前記ばね部３３が、その付勢力により前記揺動部材３を時計方向に揺動させるので、前記針棒１の前記スリット１６より突出した前記ピン２２が前記揺動部材３の下部に形成された係止穴３１に介挿され、図１０に示されるように該針株２が前記針棒１にロックされる。
【００３９】
前記針株２を外す場合は、前記針保持台５が前記ピン４１の軸方向に移動し、
前記針株２を前記溝５１内に介挿され把持される。この時前記揺動部材３は、
前記係止穴３１の上部に横方向に突設され斜めに配設された前記突設部３４が、
前記ピン４１の先端に当接して半時計方向の揺動が開始され、前記針株２が前記溝５１内に完全に挿入把持された状態において、前記針株２のピン２２が前記揺動部材３の係止穴３１から完全に抜けている。
【００４０】
したがって、前記針棒１と針株２とのロックは解除され、該針株２は前記鋼球１２および前記馬蹄形の板ばね１３のバネ力のみにより前記針棒１に係止されている状態となる。この状態において、前記針棒１が上方に移動すると、前記針株２が前記針棒１より外される。
【００４１】
上記作用を奏する第１実施形態のミシンの針株保持装置は、前記係止部材としての前記揺動部材３が、前記針棒１が上下動する時前記係止穴３１によって構成される前記係止部によって前記回転阻止用の前記ピン２２を係止して前記針株２をロックするので、前記針株２の前記針棒１からの脱落を阻止するという効果を奏する。
【００４２】
また第１実施形態のミシンの針株保持装置は、前記揺動部材３が、その前記係止穴３１によって前記針株２の回転阻止用の前記ピン２２を係止して前記針株２を係止するので、前記針株２の前記針棒１からの脱落を確実に阻止するという効果を奏する。
【００４３】
さらに第１実施形態のミシンの針株保持装置は、前記揺動部材３に配設された前記ばね部３３が、前記針株２の回転阻止用の前記ピン２２が前記係止穴３１内に介挿され係止される方向に付勢するので、前記針株２の前記針棒１からの脱落を一層確実に阻止するという効果を奏する。
【００４４】
また第１実施形態のミシンの針株保持装置は、前記ピン４１によって構成される前記解除部材が、前記回転阻止用のピン２２と前記係止部とのロックを解除するので、前記針株２の交換時における針株２の着脱を容易にするという効果を奏する。
【００４５】
さらに第１実施形態のミシンの針株保持装置は、前記解除部材を構成する前記針株を把持する前記溝５１が形成された前記針保持台５に配設された前記突出部材が、針株の交換時において前記針株２が該針株２を把持する前記溝５１内に介挿されると、前記揺動部材３と前記針株との間に介挿され、ロックが解除されるので、前記針株の交換時における前記針株２の動きに応じた着脱を可能にするという効果を奏する。
【００４６】
また第１実施形態のミシンの針株保持装置は、前記突出部材を構成する先端先細形状の前記ピン４１が、前記回転阻止用のピン２２と前記係止穴３１との係止関係を解除するので、簡単な構成により、前記針株の交換時における針株の動きに応じた着脱を可能にするという効果を奏する。
【００４７】
すなわち、前記針棒１に揺動部材３を付設して、前記針株２の回転阻止用のピン２２を長くするとともに、前記針保持台５にピン４１を付設するという簡単な設計変更により、前記針株２のロックを実現するものである。
【００４８】
（第２実施形態）
第２実施形態のミシンの針株保持装置は、図１１および図１２に示されるように、前記揺動部材３が、一端がビスにて前記針棒１に固定されたバネ部材３６より成り、前記針株の回転阻止用の前記ピン２２が前記係止穴３８内に介挿され係止される方向に付勢され、針株２の交換時においては弾性変形によって揺動するように構成されている点が、前記第１実施形態との主たる相違点である。
【００４９】
前記揺動部材３は、一例として図１１に示されるように下方に行くに従い徐各に広がるスカート状の部材３６の一部を矩形状に切り欠き、該矩形状の切欠部３７の下部にピン２２を挿入する係止穴３８が形成され、また図１２に示されるように針保持台５に配設される解除部材としてのピン４３が一体成形されている。
【００５０】
上記構成より成る第２実施形態のミシンの針株保持装置は、前記揺動部材３が、スカート状の前記バネ部材３６によって構成されるので、前記針株２の回転阻止用の前記ピン２２が前記係止穴３８内に介挿され、前記針株２を前記針棒１にロックするとともに、該針株２の交換時においてはスカート状の前記バネ部材の弾性変形によって揺動するものである。
【００５１】
上記作用を奏する第２実施形態のミシンの針株保持装置は、前記揺動部材３を構成するスカート状のバネ部材が、前記針株の回転阻止用の前記ピン２２を前記係止穴３８内に介挿され係止される方向に付勢されるので、前記針株２の前記針棒１からの脱落を一層確実に阻止するという効果を奏する。
【００５２】
また第２実施形態のミシンの針株保持装置は、前記針株２の交換時における針株の脱着においては一端が前記針棒１に固着されたスカート状の前記バネ部材３６の弾性変形によって揺動するので、シンプルな部材によって前記針株２の脱着を可能にするという効果を奏する。
【００５３】
さらに第２実施形態のミシンの針株保持装置は、前記揺動部材３を下方に行くに従い徐各に広がるスカート状の前記バネ部材３６によって構成したので、前記ピン４４との当接および弾性変形を容易にするという効果を奏する。
【００５４】
上述の実施形態は、説明のために例示したもので、本発明としてはそれらに限定されるものでは無く、特許請求の範囲、発明の詳細な説明および図面の記載から当業者が認識することができる本発明の技術的思想に反しない限り、変更および付加が可能である。
【００５５】
上記第２実施形態においては、一例としてピン４１との当接および弾性変形を容易にする観点より、前記揺動部材３を下方に行くに従い徐各に広がるスカート状の前記バネ部材によって構成したが、本発明としてはそれらに限定されるものでは無く、前記針株の回転阻止用の前記ピンと前記係止穴との係止状態およびロック状態の確実性の観点より前記揺動部材３を下方に行くに従い徐々に狭まる部材を用いることが可能である。
【００５６】
上記実施形態においては、係止部の一例として係止の確実性の観点より係止穴３１を用いたが、本発明としてはそれらに限定されるものでは無く、着脱の容易性の観点より針株の着脱時における前記ピン４１との当接により揺動する方向に切欠が形成された例えばＬ字状のフック状の部材を揺動部材を採用することも可能である。
【図面の簡単な説明】
【図１】本発明の第１実施形態のミシンの針株保持装置を示す背面斜視図である。
【図２】本第１実施形態のミシンの針株保持装置を示す正面斜視図である。
【図３】本第１実施形態の針棒の小径部を示す横断面図である。
【図４】本第１実施形態における針棒および針株と解除部材との位置関係を示す部分拡大図である。
【図５】本第１実施形態における針棒および針株と解除部材との位置関係を示す平面図である。
【図６】本第１実施形態の針棒における揺動部材の支持部を示す横断面図である。
【図７】本第１実施形態における針棒の上死点における位置関係を示す側面図である。
【図８】本第１実施形態における針棒の下降状態における位置関係を示す側面図である。
【図９】本第１実施形態における針棒の下降終了状態における位置関係を示す側面図である。
【図１０】本第１実施形態における針株のロック完了状態における位置関係を示す側面図である。
【図１１】本発明の第２実施形態のミシンの針株保持装置における揺動部材を示す背面斜視図である。
【図１２】本第２実施形態における解除部材を示す正面斜視図である。
【図１３】従来のミシンの針株保持装置における針棒と針株の係合関係を示す断面図である。
【符号の説明】
１  針棒
２  針株
２１  針
２２  回転阻止用のピン
３  揺動部材
３１  係止穴
４  解除部材
【図１】
0003733649.tif 000002
【図２】
0003733649.tif 000003
【図３】
0003733649.tif 000004
【図６】
0003733649.tif 000005
【図４】
0003733649.tif 000006
【図５】
0003733649.tif 000007
【図１３】
0003733649.tif 000008
【図７】
0003733649.tif 000009
【図８】
0003733649.tif 000010
【図９】
0003733649.tif 000011
【図１０】
0003733649.tif 000012
【図１１】
0003733649.tif 000013
【図１２】
0003733649.tif 000014